(57)【特許請求の範囲】
【請求項１】
ゴングキャリア（３）に接続されたゴング（２）と、
所定の時間に前記ゴング（２）を打撃するためのハンマー（４）と、
アイドル・モードにおいて、前記ハンマーを前記ゴング（２）から離れた状態に保持するための制振用カウンタースプリング（５）と、
固定端と、自由に動くことができる端部とを含む前記ハンマーのための駆動スプリング（６）と、を備え、
前記駆動スプリングは、巻き上げて、打撃モードにおいて前記ハンマー（４）を前記ゴング（２）に向けて駆動し、音を発生させることができるようにされた腕時計の時打ち機構（１）において、
前記時打ち機構は、前記アイドル・モードにおいて前記ハンマー（４）をロックし、前記駆動スプリング（６）が巻き上げられたときには前記打撃モードにおいて前記ハンマーから離れて移動するように少なくとも１つのボルト（８）が設けられたロック装置を含み、前記ロック装置は、前記最初の打撃の後に前記ボルトが前記ハンマーを前記アイドル位置にロックする前に、前記駆動スプリングが前記ハンマーを前記ゴングに最初に打撃させるように配置されることを特徴とする時計の時打ち機構（１）。
【請求項２】
前記ハンマーは、腕時計のプレート上で回転軸（１４）の周りに回転可能に取り付けられ、且つ所定の時間に前記ゴング（２）を打撃することができる衝突部分と、前記ロック装置のためのフック手段（１５）を備えた末端部分とを含むことを特徴とする、請求項１に記載の時打ち機構（１）。
【請求項３】
前記フック手段は、前記ハンマーの末端部分の周囲における側面上に作製されたノッチ（１５）を含むことを特徴とする、請求項２に記載の時打ち機構（１）。
【請求項４】
前記ノッチ（１５）は、前記ハンマー（４）の衝突部分の反対側の前記回転軸（１４）の一方の側に配置されることを特徴とする、請求項３に記載の時打ち機構（１）。
【請求項５】
前記駆動スプリング（６）及び前記カウンタースプリング（５）は、ストリップ・スプリングの形態で構成され、その一端が前記腕時計のプレート又はブリッジに固定され、他方の端部が自由に動くことができることを特徴とする、請求項１〜請求項４のいずれかに記載の時打ち機構（１）。
【請求項６】
前記ハンマー（４）は、前記カウンタースプリング（５）の自由端と接触状態にあり、前記アイドル・モードにおいて前記ハンマーを前記ゴングから離れた状態に保持し、又は前記ハンマーを前記アイドル位置に押し戻すようにする、前記ハンマーの衝突部分の側部上にシャフト（９）を含むことを特徴とする、請求項５に記載の時打ち機構（１）。
【請求項７】
前記ハンマー（４）は、該ハンマーの回転軸（１４）に対して前記ハンマーの衝突部分の反対側で前記ハンマーの末端部分内に配置されたピン（１０）を含み、前記駆動スプリング（６）の自由端は、前記打撃モードにおいて、前記駆動スプリングが予め巻き上げられたときに前記ピン（１０）を介して前記ハンマーの衝突部分を前記ゴング（２）に打ち付けることを特徴とする、請求項５に記載の時打ち機構（１）。
【請求項８】
前記ロック装置のボルト（８）は、前記腕時計のプレート又はブリッジ上で回転軸（１８）の周りに回転可能に取り付けられ、前記ボルト（８）は、その自由端において前記ハンマーをロックするためのフック（２８）の形態のフック要素が配置された第１のアーム（８ａ）を含むことを特徴とする、請求項１〜請求項３のいずれかに記載の時打ち機構（１）。
【請求項９】
前記ボルトのフック（２８）は、前記ハンマーの末端部分上のノッチ（１５）の上にフック留めすることを特徴とする、請求項８に記載の時打ち機構（１）。
【請求項１０】
前記ボルトは、その自由端において前記駆動スプリング（６）に固定された相補的ストリップ・ストリング（６’）が当接する第２のアーム（８ｂ）を含み、前記相補的ストリップ・ストリング（６’）は、前記第２のアームを前記ハンマーの末端部分の周囲の方向に押し込むように、前記フック（２８）は、前記アイドル・モードにおいて又は前記打撃モードにおける前記ゴングに対する前記ハンマーの最初の打撃後に前記ハンマーのノッチ（１５）の上にフック留めすることを特徴とする、請求項８に記載の時打ち機構（１）。
【請求項１１】
前記相補的ストリップ・スプリング（６’）は、前記駆動スプリング（６）と一体であり、該駆動スプリング・ストリップにほぼ平行に配置され且つ前記駆動スプリングの自由端に向けて配向されることを特徴とする、請求項１０に記載の時打ち機構（１）。
【請求項１２】
前記相補的ストリップ・スプリング（６’）の自由端は、前記第２のアーム（８ｂ）の自由端においてランプ（３０）に当接することを特徴とする、請求項１１に記載の時打ち機構（１）。
【請求項１３】
前記ボルト（８）の第２のアーム（８ｂ）は、前記相補的ストリップ・スプリング（６’）が、前記打撃モードにおいてもはや前記第２のアーム（８ｂ）の自由端と接触状態にないときに、前記第２のアーム（８ｂ）の自由端と接触状態にあるボルト・スプリング（７）の末端部分のコーナー部（２６）により、前記ハンマーの周囲から離れた位置に向けて押し込まれることを特徴とする、請求項１０に記載の時打ち機構（１）。
【請求項１４】
前記ボルト・スプリング（７）は、回転軸（１７）の周りに回転可能に取り付けられ、且つ前記駆動スプリング（６）の一部と接触状態にある前記ボルト・スプリングの第１の自由端を有するストリップ・スプリングの形態であり、従って、湾曲して前記ボルト・スプリングの第２の端部における部分のコーナー部（２６）に反発力を与えて、前記第２のアーム（８ｂ）を前記ハンマーの周囲から離れるように押し込むことができることを特徴とする、請求項１３に記載の時打ち機構（１）。
【請求項１５】
前記ボルト・スプリング（７）の末端部分は、前記ハンマーが前記ゴングを最初に打撃した後に前記打撃モードにおいて前記ハンマーのピン（１０）を受けるための円形状の溝（２７）を含み、前記末端部分のコーナー部（２６）を移動させて、且つ前記ハンマーが前記ゴングを最初に打撃した後に前記相補的ストリップ・スプリング（６’）が前記第２のアーム（８ｂ）を前記ハンマー（４）の周囲の方向に押し込んで前記ハンマーをロックするようにすることを特徴とする、請求項１３に記載の時打ち機構（１）。
【発明の詳細な説明】
【技術分野】
【０００１】
本発明は、ハンマー・ロック装置が設けられた腕時計の時打ち機構に関する。この機構は、ゴングキャリアに固定された少なくとも１つのゴングを定められた時間に打撃するように配置された少なくとも１つのハンマーを含む。このハンマーは、アイドル・モードにおいて、制振用カウンタースプリングによりゴングから離れた状態に保持され、ロック装置によりロックされる。この機構ハンマーのための駆動スプリングは、弾性ストリップ又はビームの形態で構成することができる。この駆動スプリングが巻き上げられて、打撃モードにおいてハンマーをゴングに打ち付け、例えば、プログラムした時間周期の音響信号を提供することができる。
【背景技術】
【０００２】
腕時計製造の分野においては、時打ち機構を従来の時計ムーブメントと組み合わせて、ミニッツリピータとして機能させ、すなわちプログラムしたアラーム時間を表示させることができる。このタイプの時打ち機構は、一般に、少なくとも１つのゴングを含んでおり、このゴングは、サファイア若しくは石英、或いは、鋼、青銅、貴金属、又は金属ガラスのような金属材料で作製される。ゴングは、例えば、腕時計フレーム内で腕時計ムーブメントの周りの円の少なくとも一部として記述することができる。ゴングは、その少なくとも一端がゴングキャリアに固定され、該ゴングキャリアは、腕時計プレートに固定される。時打ちハンマーは、ゴングを打撃してこれを振動させるように、例えば、ゴングキャリアに近接してプレート上に回転可能に取り付けられている。ゴングがハンマーによって打撃されたときに発生する音は、１ｋＨｚから２０ｋＨｚまでの可聴周波数範囲内にある。これにより、腕時計を着用している人に対して、明確な時間、プログラムしたアラーム、又はミニッツリピータが示される。
【０００３】
特許文献１において図示されるように、腕時計の時打ち機構は、２つ又はそれ以上のゴングを含むことができ、各ゴングは、その一端において同一のゴングキャリアに取り付けられ、該ゴングキャリアはプレートに固定される。各ゴングは、それぞれのハンマーにより打撃することができる。この作用を達成するために、各ハンマーは、その固有の駆動スプリングにより駆動されるが、ハンマーをゴングに打ち付けてミニッツリピータ又はアラーム時間を表示させるようにするためには、この駆動スプリングを予め巻き上げておかなければならない。アイドル・モードにおいて、２つのハンマーを押し戻してこれらをゴングから離れた状態に保持するために、２つの制振用カウンタースプリングがそれぞれ設けられる。打撃モードにおいては、制振用カウンタースプリングは、それぞれのゴングに向けて打撃するまでの間に、著しい力によって各ハンマーの落下を減速させるように働く。打撃後、これらのカウンタースプリングにより、各ハンマーをそのアイドル位置に押し戻すことが可能になる。また、基本的にカウンタースプリングの動作を調整して各ハンマーがそれぞれのゴングに向かってはね返るのを防止するために、偏心器が設けられる。
【０００４】
カウンタースプリングを有するこのタイプの時打ち機構構造体の１つの欠点は、ハンマーがそれぞれのゴングを打撃するときに、運動エネルギーが著しく失われ、これにより時打ち機能の音響レベルが低下することである。このエネルギー損失は、大部分が、ハンマーによりゴングを打撃するときに、ハンマーの経路上にある各カウンタースプリングにより減速を生じることに起因している。更に、駆動スプリングの予巻き（ｐｒｅ−ｗｉｎｄｉｎｇ）を増やしたとしても、これは、偏心器を介してはね返りも防止するようカウンタースプリングを適合させることが必要となり、このことは、このタイプの時打ち機構の別の欠点となる。
【０００５】
特許文献２はまた、少なくとも１つのゴングと、定められた時間にゴングを打撃することができるハンマーとが取り付けられた時打ち機構を開示している。この時打ち機構は制御装置を更に含み、この制御装置は、一方では、機構の能動的状態又は非能動的状態の視覚的表示を提供し、他方では、押しボタンを介してハンマーをロック又はロック解除することができる。打撃モードにおいて、ハンマーがロック解除状態にあるときには、ゴングに対するハンマーの最初の打撃の後にハンマーがゴングに向かってはね返るのを防止するものは何もなく、このことは欠点となる。
【先行技術文献】
【特許文献】
【０００６】
【特許文献１】欧州特許出願第１  ５７４  ９１７  Ａ１号
【特許文献２】欧州特許出願第１  ３９４  ６３７  Ａ１号
【発明の概要】
【発明が解決しようとする課題】
【０００７】
従って、本発明の目的は、ハンマーがゴングに落下する際に著しいエネルギーの損失がなく、打撃モードにおいて最初の打撃後にハンマーがゴングに向かってはね返るのを防止するためのハンマー・ロック装置を含む、腕時計の時打ち機構を提供することによって上述の最新技術の欠点を克服することである。
【課題を解決するための手段】
【０００８】
従って、本発明は、独立請求項１に規定される特徴を含む腕時計の時打ち機構に関する。
腕時計の時打ち機構の特定の実施形態は、従属請求項２から従属請求項１５に規定される。
【０００９】
本発明による時打ち機構の１つの利点は、この時打ち機構が、アイドル・モードにおいて、又は打撃モードでのゴングに対するハンマーの最初の打撃の後に、ハンマーをロックする少なくとも１つの摺動部又はボルトが取り付けられたロック装置を含む点にある。このボルトは、特に回転ハンマーの周囲に作製されたノッチの上にフック留めするためのフックを含むことができる。打撃モードにおいて駆動スプリングが巻き上げられると、ボルトのフックは、ハンマーの周囲から離れるように移動され、もはやハンマーを直接ロックすることができなくなる。スプリングが巻き上げられた後、ハンマーはゴングの方向に駆動され、ボルトが時間遅れでハンマーの周囲に当接されてハンマーをロックする前に、ゴングを最初に打撃する。これは、ゴングに向けてのハンマーのはね返りがないこと、及びハンマーをアイドル位置に戻しアイドル・モードにおいてゴングから離れた状態に保持するのにカウンタースプリングが大きな力をハンマーに対して加える必要がないことを意味する。
【００１０】
腕時計のこの時打ち機構の目的、利点及び特徴は、特に図面を参照することにより以下の説明においてより明らかになるであろう。
【図面の簡単な説明】
【００１１】
【図１】本発明によるハンマー・ロック装置が取り付けられた時打ち機構の特定部分の簡易３次元図を示す。
【図２ａ】本発明によるハンマー・ロック装置が取り付けられた時打ち機構の主要素のアイドル・モードから打撃モードへの種々の位置の拡大平面図を示す。
【図２ｂ】本発明によるハンマー・ロック装置が取り付けられた時打ち機構の主要素のアイドル・モードから打撃モードへの種々の位置の拡大平面図を示す。
【図２ｃ】本発明によるハンマー・ロック装置が取り付けられた時打ち機構の主要素のアイドル・モードから打撃モードへの種々の位置の拡大平面図を示す。
【発明を実施するための形態】
【００１２】
以下の説明において、本技術分野において周知である腕時計の時打ち機構の全ての部品については、単に概略的に説明する。主として、最初の打撃後にハンマーがゴングに向けてはね返るのを防ぐために、アイドル・モード及び打撃モードにおいてハンマー・ロック装置がどのように動作するかに関して重点が置かれる。
【００１３】
図１は、腕時計の時打ち機構１の簡単化された図を示す。時打ち機構１の種々の部品は通常、プレート又はブリッジ上に取り付けられ、これらのプレート又はブリッジは、図１への記載が過剰になるのを避けるために図示されていない。プレートは、通常、時打ち機構の種々の図示の要素の上に配置されるのに対して、ブリッジの一部は、図示の要素の下に配置され、プレートにも固定される。
【００１４】
時打ち機構１は、その一端がゴングキャリア３に固定された少なくとも１つのゴング２を含む。このゴングキャリアは、理論上は、腕時計プレート（図示せず）に固定することができるが、ケースの内部に固定してもよい。通常、ゴング２の他方の端部（図示せず）は自由に動くことができる。ゴング２は、腕時計ムーブメントの周りに円形又は矩形の少なくとも一部の形態で作製することができる。ゴングはまた、例えば、一般に的には鋼若しくは貴金属、又は金属ガラス、或いは別の材料で作製された、円形又は矩形の横断面の金属線とすることもできる。
【００１５】
時打ち機構１はまた、図示されていないプレートとブリッジとの間で軸１４の周りに回転可能に取り付けられた少なくとも１つのハンマー４を含む。このハンマーは、ゴングキャリア３に近接して取り付けられるのが好ましい。時打ち機構１は更に、制振用カウンタースプリング５と、ハンマー用の駆動スプリング６とを含む。制振用カウンタースプリング５は、アイドル・モードにおいてハンマー４をゴング２から離れた状態に保持し、打撃モードにおいて該ハンマー４をアイドル位置に押し戻す。制振用カウンタースプリング５及び駆動スプリング６は、弾性ストリップの形態をとる。制振用カウンタースプリング５の一端２５及び駆動スプリング６の一端２６は、ブリッジ又はプレート（図示せず）に取り付けられる。カウンタースプリング５の自由端は、回転軸１４とハンマーの衝突部分との間にハンマーの一部を通って固定されたシャフト９を介して、ハンマー４をゴング２から離れた状態に保持する。
【００１６】
駆動スプリング６を巻き上げて、打撃モードにおいてハンマーをゴング２の方向に駆動し、音響音を発生させるようにすることができる。駆動スプリング６は、ハンマー４の回転軸１４上に回転可能に取り付けられたレバー１２により予め巻き上げられる。このレバー１２は、図１に見られる歯を有し、この歯は、通常、プレート又はブリッジ上に回転可能に取り付けられた歯付きホイール（図示せず）によって作動される。レバー１２が歯付きホイールの１つの歯によって回転駆動されると、レバー１２は、ハンマー４のシャフト９を駆動して、該シャフト９を回転軸１４の周りで図１の反時計方向に回転させる。
【００１７】
ハンマー４はまた、回転軸１４に対して衝突部分の反対側にある、末端部分におけるハンマーの孔内に取り付けられたピン１０を含む。このピン１０は、回転軸１４と平行に配置され、主としてハンマーの底部側上にだけ延びることが好ましい。ハンマー４がレバー１２の作用により反時計方向に回転すると、ピン１０は、打撃モードの開始時に、駆動スプリング６の自由端をその予巻き位置に向けて押し込む。また、その自由端を介してレバー１２を押し込み、該レバー１２をシャフト９と接触状態に保持するために、弾性ストリップの形態をとり且つ一端がブリッジ又はプレートに取り付けられたレバー・スプリング１１が設けられる。
【００１８】
本発明によれば、時打ち機構は更に、ハンマー・ロック装置を含む。このロック装置は、図２ａ乃至図２ｃを参照して以下に詳細に説明され、本質的にはボルト８を含む。このボルト８は、ハンマー４の回転軸１４と平行にすることができる、ブリッジとプレートとの間の回転軸１８に沿って回転可能に取り付けられる。ボルト８は、湾曲した形状とすることができる第１のアーム８ａを含む。第１のアーム８ａの自由端には、フック２８の形態のフック要素が設けられる。このフックは、フック手段上にフック留めする、又はこれに当接するように意図されており、該フック手段は、衝突部分の反対側にあるハンマー４の末端部分の周囲に側面上に作製されたノッチ１５である。フック２８がハンマーの周囲と接触状態にあるときには、フックは、ハンマーのノッチ１５に当接し、又はこの上にフック留めされてハンマーをロックする。これにより、最初の打撃後の打撃モードにおいて、ハンマーの衝突部分がゴングの方向で時計方向に回転するのが防止される。ノッチ１５は、第１のアーム８ａのフック２８によってハンマーをロックするようにハンマーの側面から直角又は鋭角に配置された平坦部分とすることができる。
【００１９】
ボルト８は更に、第１のアーム８ａと平行に配置され、また同一の湾曲形状のものとすることができる第２のアーム８ｂを含む。この第２のアーム８ｂの自由端は、駆動スプリング６の相補的ストリップ・スプリング６’が当接するランプ形状部分を含む。このストリップ・スプリング６’は、ばね鋼で作製された駆動スプリング６の主要ストリップと一体である。好ましくは、ロック装置のこの相補的ストリップ・スプリング６’は、駆動スプリング６の主要ストリップと平行であり、相補的ストリップ・スプリングの自由端は、駆動スプリングの主要ストリップの自由端から僅かに後退している。ストリップ・スプリング６’が第２のアームのランプに当接すると、これによりボルト８が押し込まれ、第１のアーム８ａがハンマーの周囲に当接してハンマーをロックするようになる。しかしながら、駆動スプリング６が予め巻き上げられているときには、ストリップ・スプリング６’は、もはや第２のアーム８ｂのランプに当接しない。
【００２０】
ロック装置は更に、例えば、ハンマー４の回転軸１４と平行なブリッジ上の回転軸１７の周りに回転可能に取り付けられたレバーの形態のボルト・スプリング７を含む。ボルト・スプリング７は、弾性ストリップを含み、その第１の自由端は、時計方向の戻り力を生じることができるように、駆動スプリング６の一部上で止まる。ボルト・スプリング７は更に、回転軸１７に近接した第２の末端部分を含む。ボルト・スプリング７の末端部分のこの縁部の機能は、相補的ストリップ・スプリング６’がもはや第２のアーム８ｂのランプと接触状態にないときに、第２のアーム８ｂをハンマーの周囲から離れるように押し込むことである。この末端部分は、該末端部分が駆動スプリング６に当接するときにストリップの曲げにより生じる力によって、第２のアーム８ｂを押し込む。この末端部分はまた、第１のアーム８ａのフック２８をハンマー４の周囲から離れるように移動させ、該フックがもはやハンマーをロックしないようになる。
【００２１】
ボルト・スプリング７の末端部分は更に、ハンマーが最初にゴングを打撃したときに、ハンマー４のピン１０を受けるための、円弧の形状の溝を含む。ゴング２に対するハンマーの打撃の前に、ボルト・スプリング７の末端部分は、第２のアーム８ｂ及び第１のアーム８ａをハンマー４の周囲から離れた状態に保持する。打撃モードにおいて、駆動スプリング６がハンマー４をゴング２の方向に駆動すると、ボルト・スプリング７の末端部分が依然として第２のアーム８ａを離れた状態に保持しているので、第１のアーム８ａのフック２８は、未だハンマーのノッチ１５の上にフック留めすることができない。ハンマーが駆動されると、相補的ストリップ・スプリング６’は、第２のアームのランプと接触状態になるが、第２のアーム８ｂを直接ハンマーの周囲の方向に押して該ハンマーをロックするのに十分な力は有していない。この力はまたランプの傾斜に依存し、この傾斜は調整可能である。
【００２２】
ハンマーが最初にゴング２を打撃すると、ハンマーのピン１０は、ボルト・スプリング７の末端部分の円形溝に入る。溝内のピン１０の移動に伴って、ボルト・スプリング７の末端部分が、図１の反時計方向に僅かに転回させられる。次いで、駆動スプリング６と接触状態にあるボルト・スプリング７の弾性ストリップの第１の端部が曲がる。このことは、第２のアーム８ｂのランプと接触状態にある相補的ストリップ・スプリング６’が、第２のアーム８ｂ及び第１のアーム８ａをハンマー４の周囲の方向に押し込むことを可能にする効果がある。従って、ハンマーがカウンタースプリング５によりアイドル位置に押し戻されると、第１のアーム８ａのフック２８は、ゴングの最初の打撃の後に、ハンマーのノッチ１５に当接する。ハンマー４がアイドル位置に戻ると、相補的ストリップ・スプリング６’の端部とランプとの間の接触が与えられても、末端部分はもはや第２のアーム８ｂをハンマーから離れるように押し込むのに十分な力を有していない。従って、ハンマーは、後ではね返ることなくゴングの単一の打撃後に直接ロックされ、これが本発明の目的である。
【００２３】
ハンマー・ロック装置があることにより、カウンタースプリング５は、もはやゴングを打撃した後にハンマーをアイドル位置に戻すのに大きな反力を必要としない。比較として、カウンタースプリング５は、上述のロック装置を備えた本発明によれば、ハンマーをアイドル位置に戻すのに０．１Ｎ程度の力しか必要としない。従来の時打ち機構の場合、カウンタースプリングは、理論上は、はね返りを防ぐために３Ｎの程度の力でハンマーを押し戻さなければならない。予め巻き上げられた駆動スプリングは、通常、ハンマーをゴングに向けて押し込むために１Ｎの程度の力を生成する。
【００２４】
本発明による時打ち機構のロック装置をより理解するために、図２ａ乃至図２ｃを参照する。これらの図２ａ乃至図２ｃは、その要素が図１に対して下側から図示された、機構のロック装置の拡大図を示している。図２ａは、ハンマー４をロックするロック装置のボルト８を有する、アイドル位置にある時打ち機構を示す。図２ｂは、予め巻き上げられた駆動スプリングと共に、打撃モードの最初の位置を示す。最後に、図２ｃは、ハンマー４が最初にゴングを打撃したときの瞬間を示し、第１のアーム８ａ及び第２のアーム８ｂは、ハンマーがロックされる前の、ハンマーの周囲に再び接触状態にされている。
【００２５】
図２ａにおいて、時打ち機構はアイドル・モードにある。ロック装置のボルト８は、ハンマー４をロック状態に保持している。この作用を達成するために、好ましくはプレートに対して垂直な回転軸１８の周りに回転可能に取り付けられたボルトは、第１のアーム８ａと、ほぼ同様の形状で第１のアームに平行に配置された第２のアーム８ｂとを含む。第１のアーム８ａは、一端においてフック２８を含み、図２ａにおいては、該フックは、ハンマー４のノッチ１５に当接し又はこの上にフック留めされている。第２のアーム８ｂは、該第２のアームのランプ３０と接触状態にある相補的ストリップ・スプリング６’を介して、ハンマーの周囲の方向に押し込まれる。相補的ストリップ・スプリング６’は、第２のアーム８ｂの端部の縁部２９に作用する、ボルト・スプリング７の末端部分のコーナー部２６により生成される反発力に抗して第２のアームを押し込む。この状況において、ボルト・スプリング７は、コーナー部２６を介して相補的ストリップ・スプリング６’の力に対して十分な力を生成せず、第１のアーム８ａがハンマー４の周囲から離れるようにランプ３０を介して第２のアーム８ｂを押し込む。ランプ３０にかかる相補的ストリップ・スプリング６’の摩擦力及びランプの傾斜はまた、アイドル・モードにおいてハンマーをこのロック位置に維持する役割を担う。
【００２６】
時打ち機構のアイドル・モードにおいて、カウンタースプリング５の端部は、理論的にはハンマーのシャフト９と接触状態にある。ハンマー４の回転軸１４の周りに回転可能に取り付けられたレバー１２は、図示されていないレバー・スプリングによりシャフト９を押し付けている。駆動スプリング６の自由端は、ピン１０と接触状態にはなく、該ピン１０もまた、ボルト・スプリング７の末端部分の円形溝２７と接触状態にない。
【００２７】
時打ち機構のアイドル・モードから打撃モードへの変化の際の機構の要素の動きが、点線で矢印により示される。レバー１２は、歯付きホイール（図示せず）により時計方向に回転駆動される。このレバー１２の回転は、シャフト９及びピン１０をハンマー４の回転軸１４に対して時計方向に移動させる効果がある。ピン１０が駆動ピン６の自由端と接触状態になると、図２ｂにおいて以下に示されるように、このピン１０は、駆動スプリング６を予巻き位置に押し込む。駆動スプリングの移動は、相補的ストリップ・スプリング６’がもはやランプ３０と接触状態にないことを意味する。このことは、末端部分のコーナー部２６が、ボルト８の第２のアーム８ｂをハンマー４の周囲から離れるように押し込むのを可能にする。
【００２８】
図２ｂは、予め巻き上げられた駆動スプリング６を有する最初の打撃モードを示す。この位置において、レバー１２は歯付きホイールにより最大位置に回転されているので、カウンタースプリング５の自由端はもはやシャフト９と接触状態にはない。ピン１０は、駆動スプリング６を予め巻き上げられた状態に保持する。相補的ストリップ・スプリング６’はもはやランプ３０と接触状態にはなく、コーナー部２６は、第２のアーム８ｂの縁部２９をハンマー４の周囲の外部に向けて押し込んでいる。この状態において、ボルト・スプリング７が駆動スプリング６上に当接すると、ボルト・スプリング７の弾性ストリップの曲げにより生成される力が最小になる。
【００２９】
図２ｃは、ハンマー４がゴングを最初に打撃したときの瞬間を示し、第１のアーム８ａ及び第２のアーム８ｂは、ハンマーの周囲と接触した状態に戻され、ハンマーはロックされる前である。ハンマー４は、駆動スプリング６によりその予巻き位置からゴングに向けて駆動されると、最初にゴングを打撃する。ハンマーの衝突部分がゴングと接触状態になると、ハンマー４のピン１０が、ボルト・スプリング７の末端部分の円形溝２７と接触状態になる。点線で矢印により示されるように、溝２７におけるピン１０の接触の効果は、ボルト・スプリング７を時計方向に回転させることである。ハンマーは十分に重いので、該ハンマーは、溝２７において大きな力を与え、ボルト・スプリング７の末端部分を駆動スプリング６上に当接している弾性ストリップの曲げ力に抗して回転させる。
【００３０】
相補的ストリップ・スプリング６’は、ランプ３０上に当接して、ボルト８をハンマーの周囲の方向に移動させる。しかしながら、ハンマーは最初にハンマーを打撃したばかりなので、第１のアーム８ａのフック２８は、ハンマーのノッチ１５の上にフック留めをする時間はない。カウンタースプリング５がハンマーをアイドル位置に押し戻すと、ハンマー４がゴングを最初に打撃した後にだけ、フック２８がハンマーのノッチ１５の上にフック留めされて該ハンマーをロック状態に保持することになり、これが本発明の目的である。
【００３１】
以上のことから、本発明の時打ち機構のロック装置の結果として、ゴングに対するハンマーのどのようなはね返りも防止される。従って、もはや、ハンマーを大きな力で再びアイドル位置に押し込むカウンタースプリンを備えた時打ち機構を提供する必要はない。カウンタースプリングの力を最小にすることができ、これにより、ハンマーがゴングを打撃して十分な音響レベルの音を発生させたときに、ハンマーからの運動エネルギーの損失が最小になるという利点が得られる。
【００３２】
上述した説明から、当業者であれば、特許請求の範囲により定められる本発明の範囲から逸脱することなく、ロック装置が設けられた腕時計の時打ち機構の幾つかの変形を考案することができる。相補的ストリップ・スプリングは、製造された後に駆動スプリングの主要ストリップにねじ留め又は溶接することができる。ボルト・スプリングは、ボルトの回転軸の周りに配置することができる。ボルトは、その端部に少なくとも１つのフックを備えた１つのアームだけを有し、相補的ストリップ・スプリングのための要素及び場合によってはボルト・スプリングを支持することができる。ボルトは、直線運動によりハンマー・ロック位置又はロック解除位置に配置することができる。ハンマーは、直線状に移動してゴングを打撃するように配置することができる。ハンマーのシャフト及び／又はピンは、ハンマーの材料で一体的に直接作製してもよい。
【符号の説明】
【００３３】
１：時打ち機構
２：ゴング
３：ゴングキャリア
４：ハンマー
５：カウンタースプリング
６：駆動スプリング
６’：相補的ストリップ・スプリング
７：ボルト・スプリング
８：ボルト
８ａ：第１のアーム
８ｂ：第２のアーム
９：軸
１０：ピン
１１：レバー・スプリング
１２：レバー
１４、１７、１８：回転軸
１５：ノッチ
２６：コーナー部
２７：溝
２８：フック
３０：ランプ
【図１】
0005416233.tif 000002
【図２ａ】
0005416233.tif 000003
【図２ｂ】
0005416233.tif 000004
【図２ｃ】
0005416233.tif 000005